(57)【要約】【課題】実際に、付与される正の曲げ応力が高められる、与圧されたデッキ構造の床構造体を提供する。【解決手段】床構造体に沿って延在する細長いデッキ（１０）を有し、デッキ（１０）は中立軸線が中央水平面よりも上方に位置する上向きの非対称形状をしたチャンネル構造体（１１）を有する。テンションロッド（４０）がデッキ（１０）の端部に固定された加圧ブラケット（２０）間を延在し、デッキ（１０）の中立軸線の下方においてデッキ（１０）の長手方向に沿って位置している。各加圧ブラケット（２０）がテンションロッド（４０）の上方で上向きに延びているチャンネル（１１）の側壁（１３）に取着されている。デッキ（１０）は建物の桁構造体（４４）に取着されている。テンションロッド（４０）がデッキ（１０）の中立軸線の下方に位置し、デッキ（１０）に付与された曲げ応力が正であり、この応力はコンクリート床構造体（５３）がデッキ（１０）に取付けられると除去される。加圧ブラケットのデッキ（１０）への取付けはテンションロッド（４０）の上方であり、デッキ（１０）の端部に掛かる負の曲げ応力はない。
2007538177.tif 000002
【特許請求の範囲】
【請求項１】
上向きの非対称形状をしたチャンネル構造体（１１）を有し床構造体に沿って延在する細長いデッキ（１０）からなる与圧されたデッキ構造の床構造体において、該デッキ（１０）の端部間を延在し該デッキ（１０）の中立軸線の下方において該デッキ（１０）の長手方向に沿うチャンネル内に位置しているテンションロッド（４０）を含むことを特徴とする床構造体。
【請求項２】
前記チャンネル構造体（１１）は非対称形状をしており、前記中立軸線が中央水平面よりも上方に位置していることを特徴とする請求項１に記載の床構造体。
【請求項３】
前記デッキ（１０）の各端部に取着された加圧ブラケット（２０）を含むことを特徴とする請求項１また２に記載の床構造体。
【請求項４】
前記テンションロッド（４０）が各加圧ブラケット（２０）に連結されていることを特徴とする請求項３に記載の床構造体。
【請求項５】
各加圧ブラケット（２０）が前記テンションロッド（４０）の上方で前記デッキ（１０）に取着されていることを特徴とする請求項３また４に記載の床構造体。
【請求項６】
前記加圧ブラケット（２０）が上向きに延びているチャンネル（１１）の側壁（１３）に取着されていることを特徴とする請求項５に記載の床構造体。
【請求項７】
前記テンションロッド（４０）が各加圧ブラケット（２０）内に位置するローディングブッシュ（４１）を貫通していることを特徴とする請求項４に記載の床構造体。
【請求項８】
各加圧ブラケット（２０）がローディング面（２１）並びに上部フランジ（２２）、下部フランジ（２３）および２つの対向する側フランジ（２４）を形成するよう曲げられたシート状材料により形成されていることを特徴とする請求項３〜７の何れか１項に記載の床構造体。
【請求項９】
各フランジ（２２、２３、２４）がローディング面（２１）に実質的に直交して延在することを特徴とする請求項８に記載の床構造体。
【請求項１０】
前記ローディングブッシュ（４１）がローディング面（２１）の孔（２６）に位置されていることを特徴とする請求項７に記載の床構造体。
【請求項１１】
連結手段（５０）が前記テンションロッド（４０）を前記デッキ（１０）にその中間位置で連結していることを特徴とする請求項１〜１０の何れか１項に記載の床構造体。
【請求項１２】
前記連結手段（５０）がサポートクリップ（５０）であることを特徴とする請求項１１に記載の床構造体。
【請求項１３】
前記サポートクリップ（５０）が弾性材料製であることを特徴とする請求項１２に記載の床構造体。
【請求項１４】
前記サポートクリップ（５０）がばね鋼製であることを特徴とする請求項１３に記載の床構造体。
【請求項１５】
断熱材（５１）が前記テンションロッド（４０）と前記デッキ（１０）の間に設けられていることを特徴とする請求項１〜１４の何れか１項に記載の床構造体。
【請求項１６】
前記断熱材（５１）がポリプロピレンであることを特徴とする請求項１５に記載の床構造体。
【請求項１７】
前記断熱材（５１）が多孔性鉱物繊維であることを特徴とする請求項１５に記載の床構造体。
【請求項１８】
前記デッキ（１０）がチャンネル（１１）の横方向に延在する上部フランジ（１５）を有していることを特徴とする請求項１〜１７の何れか１項に記載の床構造体。
【請求項１９】
前記フランジ（１５）がその長手縁部に沿って延在する連結構造体（１６、１７）を有しており、デッキ（１０）が隣接するデッキ（１０）と互いにサイド  バイ  サイド配置で係合するようになっていることを特徴とする請求項１８に記載の床構造体。
【請求項２０】
前記デッキ（１０）が一つの上部フランジ（１５）の縁部に沿って延在する雄構造体（１７）と他の上部フランジ（１５）の縁部に沿って延在し他のデッキ（１０）の雄構造体（１７）を受け入れるようになっている雌構造体（１６）とを有していることを特徴とする請求項１９に記載の床構造体。
【請求項２１】
前記デッキ（１０）が取り付けられたサポート桁構造体（４４）を有していることを特徴とする請求項１〜２０の何れか１項に記載の床構造体。
【請求項２２】
加圧ブラケット（２０）が前記デッキ（１０）の各端部に取着されており、該加圧ブラケット（２０）が桁構造体（４４）に取付けられていることを特徴とする請求項２１に記載の床構造体。
【請求項２３】
前記桁構造体（４４）が上部および下部フランジを有するＩビーム（４４）からなり、前記加圧ブラケット（２０）がＩビーム（４４）の上部フランジに取着されていることを特徴とする請求項２２に記載の床構造体。
【請求項２４】
前記加圧ブラケット（２０）がＩビーム（４４）の上部フランジの下面に取着されていることを特徴とする請求項２３に記載の床構造体。
【請求項２５】
前記加圧ブラケット（２０）がＩビーム（４４）のフランジに捩込みスタッド（４５）により取着されていることを特徴とする請求項２３に記載の床構造体。
【請求項２６】
前記捩込みスタッド（４５）が皿もみされたカラー（４７）を貫通してフランジに押付けられていることを特徴とする請求項２５に記載の床構造体。
【請求項２７】
前記スタッド（４５）がＩビーム（４４）の上部フランジの上方からデッキ（１０）により支承されたコンクリート床（５３）に延在していることを特徴とする請求項２５または２６に記載の床構造体。
【請求項２８】
横方向ロッド（５２）が前記デッキ（１０）を横切って延在していることを特徴とする請求項１〜２７の何れか１項に記載の床構造体。
【請求項２９】
前記横方向ロッド（５２）を前記デッキ（１０）の上方で支持するスペーサーブロック（５７）を含んでいることを特徴とする請求項２８に記載の床構造体。
【請求項３０】
前記横方向ロッド（５２）が前記デッキ（１０）に連結されていることを特徴とする請求項２８または２９に記載の床構造体。
【請求項３１】
前記横方向ロッド（５２）が前記デッキ（１０）の連結構造体（１６、１７）に連結されていることを特徴とする請求項３０に記載の床構造体。
【請求項３２】
前記横方向ロッド（５２）が連結クリップ（５４）により前記連結構造体（１６、１７）に連結されていることを特徴とする請求項３１に記載の床構造体。
【請求項３３】
前記連結クリップ（５４）が弾性材料製であることを特徴とする請求項３２に記載の床構造体。
【請求項３４】
前記連結クリップ（５４）がばね鋼製であることを特徴とする請求項３３に記載の床構造体。
【請求項３５】
コンクリート床（５３）を含んでおり、該コンクリート床（５３）が少なくとも１つの空洞（５５）を内部に有することを特徴とする請求項１〜３４の何れか１項に記載の床構造体。
【請求項３６】
前記空洞（５５）が防水材料によりライニングされていることを特徴とする請求項３５に記載の床構造体。
【請求項３７】
前記防水材料がプラスチック材料であることを特徴とする請求項３６に記載の床構造体。
【請求項３８】
前記空洞のライニング材が水を含むことができることを特徴とする請求項３７に記載の床構造体。
【請求項３９】
前記水が加熱されまたは冷却されていることを特徴とする請求項３８に記載の床構造体。
【請求項４０】
前記空洞のライニング材がその孔にプラグを有しており、該プラグは床構造体（５３）の近傍で炎があると溶けるようにされていることを特徴とする請求項３８または３９に記載の床構造体。
【請求項４１】
実質的に添付図面を参照して説明され且つ添付図面に図示された与圧された、デッキ構造の床構造体。
【発明の詳細な説明】
【技術分野】
【０００１】
本発明は、床構造体に関し、より詳しくは、与圧されたデッキ構造体の床構造体に関する。
【背景技術】
【０００２】
多くの建物、特に工業的な高層建物は枠桁のビームによりに支持された鋼のデッキからなりデッキそれ自体コンクリート床を支持している地上の床を具備した鋼の枠桁を建てることにより構成されている。床スパンはコンクリート床の重量によるデッキの曲げ応力により制約を受ける。床スパンを増大させるために、コンクリート床が適宜な強度に設定されそれに達するまでデッキを中間スパンで支持することは知られている。しかしながらこの強度達成時間は４週間の程度であり、その間、支柱の存在により他の構造作業が制約を受ける。加えて、支柱は高価であり、そして装着および除去のための付加的な時間およびコストが必要である。他の方法として、デッキを枠桁に固着された付加的な「第２ビーム」により支承してもよいが、この場合にも付加的な経費が必要である。更に、第２ビームの存在により、例えばガス、水および電気配管およびケーブルなどの床スペースを通るサービス通路が制約を受ける。皿に他の方法として、床構造体を与圧されたコンクリートで形成してもよいが、この方法は製造したり現場へ移送するのに非常に高価である。加えて、大容量持上げ装置が床構造体を位置させるために必要となる。
【０００３】
大きな床スパンにおけるこれらの欠点をなくしまたは減少するために、例えば特許文献１（米国特許第３，７１２，０１０号明細書）においては、上向きの反りを導入し、それによりその上にコンクリート床を注入する前に正の曲げモーメントをデッキに生じさせることが知られている。この配置は下向きの撓みおよびコンクリート床の重量に起因するデッキ内の負の曲げモーメントに対抗し、応力がなく且つ撓み限度が増大してより大きな床スパンを可能とすることを意図している。前述の特許文献１（米国特許第３，７１２，０１０号明細書）はこの上向きの反りおよび正の曲げモーメントを達成する２つの方法を開示している。第一の方法では、図１〜図８および図１３〜図１７に示されるようにして実施されており、デッキの端部間を延在するテンションロッドまたは鍵がある。テンションロッドはデッキの上向きの中央水平面、デッキの中立軸線に対して対称に形作られたチャンネル内に位置している。テンションロッドはデッキの端部、または上向きに曲げられた端部、に取付けられたブラケットに固着され、それによりテンションロッドがデッキの中立軸線から充分に下方に位置しているのはスパンの中心部のみである。したがって、テンションロッドが緊張されたときにデッキに生じる正の曲げモーメントは非常に小さく、そしてロッド内の応力は所望の効果を達成しなければならず、高級の鋼を必要とする。更に、ブラケットまたは曲がった端部を通りデッキの端部に生じる負荷は全てまたは殆どがデッキの底面であり、デッキの端部には負の曲げ応力が生じるであろう。これは図５〜図８および図１３〜図１７の実施例においては、更にテンションロッドをデッキに溶接するという時間を要し且つ高価な作業がある。図９〜図１２の実施例においては、テンションロッドはデッキの下向きのチャンネル内に位置している。この場合にも、テンションロッドの傾斜を最大とするために、上述の実施例と同様にデッキの端部で負の曲げ応力を生じ、テンションロッドは中立軸線の上方でデッキに取付けられている（特に図１２参照）。更にこの実施例はデッキの上向きの反りを形成するために中心に設けられたポストを複雑とし、そしてテンションロッドの両端部に別個に張力を付与することを強く必要とする。デッキへのポストの組み立ては時間が掛かりまたコストが掛かる作業であり、そして構造体を火災の危険にさらす。加えて、この構造は床スペースからの作業のための通路を妨害するかもしれない。
【特許文献１】米国特許第３，７１２，０１０号明細書
【発明の開示】
【発明が解決しようとする課題】
【０００４】
本発明は、公知の構造の欠点を、少なくとも充分な程度に、解消できる与圧されたデッキ構造体の床構造体を提供することを目的とする。
【課題を解決するための手段】
【０００５】
本発明は、上向きの非対称形状をしたチャンネル構造体を有し床構造体に沿って延在する細長いデッキからなる与圧されたデッキ構造の床構造体であり、該デッキの端部間を延在し該デッキの中立軸線の下方において該デッキの長手方向に沿うチャンネル内に位置されているテンションロッドを含んでいる床構造体を提供する。
【０００６】
チャンネル構造体は非対称形状をしており、中立軸線が中央水平面よりも上方に位置していてもよい。
【０００７】
好ましくは、床構造体はデッキの各端部に取着された加圧ブラケットを含んでいてもよい。各加圧ブラケットはテンションロッドの上方でデッキに取着されていてもよい。テンションロッドが各加圧ブラケット内に位置するローディングブッシュを貫通していてもよい。各加圧ブラケットがローディング面並びに上部フランジ、下部フランジフランジおよび２つの対向する側フランジを形成するよう曲げられたシート状材料により形成され、各フランジがローディング面に実質的に直交して延在してもよい。ローディングブッシュがローディング面の孔に位置されていてもよい。
【０００８】
連結手段がテンションロッドをデッキにその中間位置で連結していてもよい。連結手段が弾性材料製のサポートクリップでもよい。サポートクリップがばね鋼製でもよい。断熱材がテンションロッドとデッキの間に設けられていてもよい。断熱材がポリプロピレン、または好ましくは多孔性鉱物繊維であってもよい。
【０００９】
デッキがチャンネルの横方向に延在する上部フランジを有していてもよく、フランジがその長手縁部に沿って延在する連結構造体を有しており、デッキが隣接するデッキと互いにサイド  バイ  サイド配置で係合するようになっていてもよい。デッキが一つの上部フランジの縁部に沿って延在する雄構造体と他の上部フランジの縁部に沿って延在し他のデッキの雄構造体を受け入れるようになっている雌構造体とを有していてもよい。
【００１０】
床構造体はデッキが取り付けられたサポート桁構造体を有していてもよい。この場合に、加圧ブラケットが桁構造体に取付けられていてもよい。桁構造体が上部および下部フランジを有するＩビームからなっていてもよく、加圧ブラケットがＩビームの上部フランジに取着されていてもよく、加圧ブラケットがＩビームの上部フランジの下面に取着されていてもよい。加圧ブラケットがＩビームのフランジに捩込みスタッドにより取着されていてもよい。捩込みスタッドが皿もみされたカラーを貫通してフランジに押付けられていてもよく、デッキにより支承されたコンクリート床内に延在していてもよい。
【００１１】
横方向ロッドがデッキを横切って延在していてもよい。横方向ロッドがデッキに連結されていてもよく、デッキの連結構造体に連結されていてもよい。横方向ロッドが連結クリップにより前記連結構造体に連結されていてもよい。連結クリップが弾性材料製でもよく、またばね鋼製でもよい。
【００１２】
コンクリート床が少なくとも１つの空洞を内部に有していてもよい。空洞が防水材料によりライニングされていてもよく、防水材料がプラスチック材料でもよい。空洞のライニング材が水を含んでもよく、この水が加熱されまたは冷却されてもよい。空洞のライニング材がその孔にプラグを有しており、プラグは床構造体の近傍で炎があると溶けるようになっていてもよい。
【発明の効果】
【００１３】
本発明によれば、与圧されたデッキ構造の床構造体が提供され、この床構造体は応力および撓み限界を増大することなく従来可能であったものよりも一層大きなスパンを許容する。所与の大きさの配置に対して、より低い曲げ応力レベルおよびセンタースパン撓みにより、デッキおよびテンションロッドとして一層低級の鋼を使用可能であり、それにより一層安価な構造が提供される。本件発明の構造体は更に一層大きな横方向強度並びに剪断および横方向撓みに対する抵抗を提供し、圧縮フランジを拘束しコンクリート床のクラッキングの傾向を低減することにより一層効率的に支持する枠体をもたらす。加えて、本件発明の構造体は床を通じての伝熱に対して一層大きな抵抗を示し火災の際に一層の安全性を提供する。
【発明を実施するための最良の形態】
【００１４】
以下、添付図面を参照して本発明を説明する。図において、図１はデッキの長手方向の斜視図であり、図２および図３はそれぞれ加圧ブラケットの展開図および折曲げ図であり、図４は枠構造体に取り付けたデッキの端部を通る長手方向断面図であり、図５は２つの隣接するデッキを通る横方向の中央スパン断面図であり、図６は２つの隣接するデッキの端面図であり、図７は図５に示すサポートクリップを拡大して示した図であり、図８は図５に示す連結クリップを拡大して示した図であり、図９は輸送中の積上げたユニットを示し、図１０および図１１はそれぞれ別のサポートクリップの側面図および平面図である。
【００１５】
図１を参照して、図１には或る長さのデッキ１０が示されている。デッキ１０は、使用時には、ベース１２および側壁１３により形成された上向きのチャンネル１１を有している。リブ１４がベース１２および側壁１３内に形成されている。加えて、デッキ１０には上部フランジ１５が形成されており、上部フランジ１５は更に補強リブ１４を具備している。チャンネル１１は下向きにテーパーしており、上部フランジ１５はベース１２よりも遥かに大きくなっている。デッキ１０がこのような形状をしている結果、中立軸線は断面の中心線の上方で実際上可能な限り高く位置している。これにより中立軸線と付与される張力の間の大きさを最大とする。一つの上部フランジ１５はその自由端部に沿って雌連結構造体１６として形成されており、他の上部フランジ１５の自由端部に沿って形成された雄連結構造体１７を受け入れるようになっている。これにより隣接するデッキ１０は図５および図６に示すように互いに取着可能である。この構造により隣接するデッキ１０間の垂直剪断結合と横方向のスラスト負荷伝達が可能となり、何れの方向のデッキ間の負荷を助ける。
【００１６】
デッキ１０の各端部に、図２および図３にそれぞれ展開図および折曲げ図を示すように、加圧ブラケット２０が設けられている。加圧ブラケット２０は、ローディング面２１並びに上部フランジ２２、下部フランジ２３および２つの対向する側フランジ２４を形成するよう曲げられたシート材料、好ましくは鋼、により形成されている。加圧ブラケット２０が所定の形状とされると、各フランジ２２、２３、２４はローディング面２１に実質的に直交して延在する。加えて、側フランジ２４は更に曲げられてトップフランジ２５を形成する。以下に記載する目的のために、ローディング面２１に孔２６が設けられており、孔２７が側フランジ２４に設けられ、そして孔２８がトップフランジ２５に設けられている。予備的にデッキ１０の強度アップのために、捩じりプレート２９が、例えばスパン中部に設けられてもよい。これにより輸送中に有り得る捩じり歪みをなくす。
【００１７】
次に、デッキ１０の端部に取付けた加圧ブラケット２０を示す図４を参照する。加圧ブラケット２０の側フランジ２４が孔２７を貫通するボルトまたはリベットによりデッキ１０の側壁１３に取着されている。これらデッキ１０の近い側壁１３にあるボルトまたはリベットにより、剪断負荷は効率よく加圧ブラケット２０へ伝達される。工場で準備されたユニット用の一層経済的な方法として、加圧ブラケット２０を抵抗スポット溶接してもよい。加圧ブラケット２０は中立軸線の下方においてデッキ１０の固めた圧縮領域を効率的に押圧する。真軸線方向圧縮応力はこの領域で発展され得る。デッキ１０の重量に関連するスパン剪断力の端部はデッキ１０の垂直側壁１３の近傍を通り取出され、ボルト、リベットまたは溶接を経てブラケット２０へ伝達される。この配置は圧縮領域および前段側壁１３における組合わせ応力効果を最小とする。テンションロッド４０がローディング面２１の孔２６に位置しているローディングブッシュ４１を貫通している。テンショロッド４０の端部のナット４２が締結されてロッド４０を引っ張りそしてデッキ１０に曲げ応力を付与する。テンションロッド４０がデッキ１０の中立軸線の下方に位置しているので、デッキ１０に付与された曲げ応力は正であり、デッキ１０を上向きに弓なりとする。更に、応力ブラケット２０のデッキ１０への取付けがテンションロッドの上方であるので、デッキ１０の端部に付与される負の曲げ応力はない。実際に、付与された正の曲げ応力はこの構成により高められる。
【００１８】
加圧ブラケット４４はビルディングの枠構造体の一部を形成しているＩビーム４４のトップフランジ４３に固着されている。この目的のために、剪断スタッド４５がフランジ４３の皿孔を貫通し、また加圧ブラケット２０のトップフランジ２５の孔２８を貫通している。剪断スタッド４５の底部のナット４６が加圧ブラケット２０およびＩビームを一緒に固定する。公知の構造では、剪断スタッドは枠構造体のフランジに溶接されているが、これは時間が掛かり高価な作業である。本件の配置では、剪断スタッド４５は皿もみされたカラー４７を貫通しフランジ２５を押圧し、枠構造体へのデッキ１０の取付けが簡単化されて従来のケースに比較してより安価である。更に、この剪断スタッド４５を用いて加圧ブラケット２０をＩビーム４４に取付けることにより枠構造体４４に横方向の抵抗を有する強固の構造が作られ、負荷時に横方向の撓みを防止する。
【００１９】
さて図５〜図８を参照して、隣接するデッキ１０の雌連結構造体１６に受入れられた一つのデッキ１０の雄連結構造体１７により互いに取着された隣接するデッキ１０が示されている。スパンの中央部において、各テンションロッド４０はバネ鋼製のサポートクリップ５０によりデッキ１０に連結されている。これによりデッキ１０に付加的な中央サポートを提供してコンクリート床５３の重量により生じた曲げ応力およびデッキの中部スパン撓みに対抗する。しかしながら、従来公知の溶接取付けとは異なり、このような取付けは床５３およびデッキ１０へのテンションロッド４０を通る伝熱を促進しない。加えて、例えばポリプロピレンまたは多孔性鉱物繊維詰め物などの、断熱材５１がテンションロッド４０とデッキ１０との間に炎の拡散を防止する目的で設けられている。コンクリート床５３に収縮クラックが生じることを防止し、または少なくともその危険を減少させるために、横方向のロッド５２がデッキ１０の上方に位置されている。横方向のロッド５２はデッキ１０に適当な間隔でバネ鋼製の連結クリップ５４により連結されている。連結クリップ５４はデッキ１０の連結構造体１６、１７にクリップする。この方法により、隣接するデッキ１０間の相対的な長手方向移動が防止され、それによりコンクリート床５３内の垂直剪断力に抵抗し、枠体４４に対して長手方向の抵抗を生じる。サービス用の孔４８が枠体４４に示されている。例えば高密度ポリスチレンなどのプラスチック材料製の軽量スペースブロック５７間か図５には１つのみ示されている）が横方向ロッド５２用のサポートとして作用するよう設けられている。これにより、横方向ロッド５２が床５３内のコンクリート収縮クラックコントロールに最適な高さに位置されることを可能としている。加えて、スペーサースブロック５７は横方向ロッド４２がデッキ１０と損傷しつつ接触しないようにする。デッキ１０の輸送中に詰め物／またはスペーサーとしてスペーサースブロック５７を使用することが図９に示されている。
【００２０】
このような組み立ての後に、そしてテンションロッド４０をデッキ１０に所望の上向き撓みおよび応力を生じるまで加圧した後に、コンクリート床５３がデッキ１０の上に注がれる。デッキ１０がコンクリート床５３により負荷を受けるので、ロッド４０の加圧によりデッキ１０に導入される上向き反りが直線化され、許容可能な中央撓みになる。これはデッキ１０の端部回転を生じ、それによりコンクリート床５３の重量により生じるテンションロッド４０内のテンションを増加し、そしてデッキ１０の負の曲げ応力を減少し、すなわち、この配置は部分的に自動応力減少である。明快さのためにＩビーム４４を除去した図６に示すように、コンクリート床５３は長手方向に溝が作られた剪断スタッド４５を包み床５３内のＩビームを横切る剪断に抵抗する。皿もみされたカラー４７は剪断スタッド４５とフランジ４３との間のスリップのおそれを減少させる。床５３は更に横方向のロッド５２を包み、皿に床５３内の剪断に抵抗する。床５３の重量、そしてそれによりコンクリート床５３の重量によりデッキ１０内に生じる負の曲げ応力を減少させるために、空所５５が床５３内に作られている。スペーとサーブロック５７もまた空所５５が最大の大きさになるように横方向ロッド５２を位置させることを許容し、それら自体にも小さな空所を形成して床５３の重量を減少させる。空所５５は非分解材料、例えばプラスチック材料によりライニングされており、水またはその他の火炎防止流体、例えば二酸化炭素のような不活性ガス、により満たされている。空所５５のライニングは横方向ロッド５２により支承されている。チューブ５６がライニングされた空所５５から断熱包囲物５１へ延びている。炎の中では容易に溶ける材料からなるプラグ（図示せず）がチューブ５６に設けられて水その他の流体が火災の際に流出するようにしている。水その他の流体は床底面を加熱／冷却するために加熱または冷却されていてもよい。
【００２１】
連結クリップ５４の代わりに、他の形態のコンクリートクリップ５８が図１０および図１１に示されている。このクリップ５８は好ましくは弾性鋼ワイヤ製であり、コンクリート床５３内に突出しないという利点を有し、スペーサーボルト５７を補完するレベルで横方向ロッド５２を支持し、支持深さを変化させて横方向ロッド５２がコンクリート床５３の異なる深さに対しても異なるサイズで対応可能としている。
【図面の簡単な説明】
【００２２】
【図１】デッキの長手方向の斜視図である。
【図２】加圧ブラケットの展開図である。
【図３】加圧ブラケットの折曲げ図である。
【図４】枠構造体に取り付けたデッキの端部を通る長手方向断面図である。
【図５】２つの隣接するデッキを通る横方向の中央スパン断面図である。
【図６】２つの隣接するデッキの端面図である。
【図７】図５に示すサポートクリップを拡大して示した図である。
【図８】図５に示す連結クリップを拡大して示した図である。
【図９】輸送中の積上げたユニットを示す図である。
【図１０】別のサポートクリップの側面図である。
【図１１】別のサポートクリップの平面図である。
【符号の説明】
【００２３】
１１  チャンネル構造体
１０  デッキ
２０  加圧ブラケット
２１  ローディング面
２２  上部フランジ
２３  下部フランジ
２４  側フランジ
２６  孔
１５  上部フランジ
１６  雌構造体
１７  雄構造体
４０  テンションロッド
４１  ローディングブッシュ
４４  桁構造体
５０  連結手段
５１  断熱材
５２  横方向ロッド
５４  連結クリップ
５３  コンクリート床
５５  空洞
【図１】
2007538177.tif 000003
【図２】
2007538177.tif 000004
【図３】
2007538177.tif 000005
【図４】
2007538177.tif 000006
【図５】
2007538177.tif 000007
【図６】
2007538177.tif 000008
【図７】
2007538177.tif 000009
【図８】
2007538177.tif 000010
【図９】
2007538177.tif 000011
【図１０】
2007538177.tif 000012
【図１１】
2007538177.tif 000013
【手続補正書】
【提出日】平成17年3月9日(2005.3.9)
【手続補正１】
【補正対象書類名】特許請求の範囲
【補正対象項目名】全文
【補正方法】変更
【補正の内容】
【特許請求の範囲】
【請求項１】
上向きの非対称形状をしたチャンネル構造体（１１）を有し床構造体に沿って延在する細長いデッキ（１０）からなり、該デッキ（１０）の端部間を延在し該デッキ（１０）の中立軸線の下方において該デッキ（１０）の長手方向に沿うチャンネル内に位置しているテンションロッド（４０）を含んでいる、与圧されたデッキ構造の床構造体において、前記チャンネル構造体（１１）は非対称形状をしており、前記中立軸線が中央水平面よりも上方に位置していることを特徴とする床構造体。
【請求項２】
前記デッキ（１０）の各端部に取着された加圧ブラケット（２０）を含むことを特徴とする請求項１に記載の床構造体。
【請求項３】
前記テンションロッド（４０）が各加圧ブラケット（２０）に連結されていることを特徴とする請求項２に記載の床構造体。
【請求項４】
各加圧ブラケット（２０）が前記テンションロッド（４０）の上方で前記デッキ（１０）に取着されていることを特徴とする請求項２また３に記載の床構造体。
【請求項５】
前記加圧ブラケット（２０）が上向きに延びているチャンネル（１１）の側壁（１３）に取着されていることを特徴とする請求項４に記載の床構造体。
【請求項６】
前記テンションロッド（４０）が各加圧ブラケット（２０）内に位置するローディングブッシュ（４１）を貫通していることを特徴とする請求項５に記載の床構造体。
【請求項７】
各加圧ブラケット（２０）がローディング面（２１）並びに上部フランジ（２２）、下部フランジ（２３）および２つの対向する側フランジ（２４）を形成するよう曲げられたシート状材料により形成されていることを特徴とする請求項２〜６の何れか１項に記載の床構造体。
【請求項８】
各フランジ（２２、２３、２４）がローディング面（２１）に実質的に直交して延在することを特徴とする請求項７に記載の床構造体。
【請求項９】
前記ローディングブッシュ（４１）がローディング面（２１）の孔（２６）に位置されていることを特徴とする請求項７に記載の床構造体。
【請求項１０】
連結手段（５０）が前記テンションロッド（４０）を前記デッキ（１０）にその中間位置で連結していることを特徴とする請求項１〜９の何れか１項に記載の床構造体。
【請求項１１】
前記連結手段（５０）がサポートクリップ（５０）であることを特徴とする請求項１０に記載の床構造体。
【請求項１２】
前記サポートクリップ（５０）が弾性材料製であることを特徴とする請求項１１に記載の床構造体。
【請求項１３】
前記サポートクリップ（５０）がばね鋼製であることを特徴とする請求項１２に記載の床構造体。
【請求項１４】
断熱材（５１）が前記テンションロッド（４０）と前記デッキ（１０）の間に設けられていることを特徴とする請求項１〜１３の何れか１項に記載の床構造体。
【請求項１５】
前記断熱材（５１）がポリプロピレンであることを特徴とする請求項１４に記載の床構造体。
【請求項１６】
前記断熱材（５１）が多孔性鉱物繊維であることを特徴とする請求項１４に記載の床構造体。
【請求項１７】
前記デッキ（１０）がチャンネル（１１）の横方向に延在する上部フランジ（１５）を有していることを特徴とする請求項１〜１６の何れか１項に記載の床構造体。
【請求項１８】
前記フランジ（１５）がその長手縁部に沿って延在する連結構造体（１６、１７）を有しており、デッキ（１０）が隣接するデッキ（１０）と互いにサイド 
バイ  サイド配置で係合するようになっていることを特徴とする請求項１７に記載の床構造体。
【請求項１９】
前記デッキ（１０）が一つの上部フランジ（１５）の縁部に沿って延在する雄構造体（１７）と他の上部フランジ（１５）の縁部に沿って延在し他のデッキ（１０）の雄構造体（１７）を受け入れるようになっている雌構造体（１６）とを有していることを特徴とする請求項１８に記載の床構造体。
【請求項２０】
前記デッキ（１０）が取り付けられたサポート桁構造体（４４）を有していることを特徴とする請求項１〜１９の何れか１項に記載の床構造体。
【請求項２１】
加圧ブラケット（２０）が前記デッキ（１０）の各端部に取着されており、該加圧ブラケット（２０）が桁構造体（４４）に取付けられていることを特徴とする請求項２０に記載の床構造体。
【請求項２２】
前記桁構造体（４４）が上部および下部フランジを有するＩビーム（４４）からなり、前記加圧ブラケット（２０）がＩビーム（４４）の上部フランジに取着されていることを特徴とする請求項２１に記載の床構造体。
【請求項２３】
前記加圧ブラケット（２０）がＩビーム（４４）の上部フランジの下面に取着されていることを特徴とする請求項２２に記載の床構造体。
【請求項２４】
前記加圧ブラケット（２０）がＩビーム（４４）のフランジに捩込みスタッド（４５）により取着されていることを特徴とする請求項２３に記載の床構造体。
【請求項２５】
前記捩込みスタッド（４５）が皿もみされたカラー（４７）を通ってフランジに押付けられていることを特徴とする請求項２４に記載の床構造体。
【請求項２６】
前記スタッド（４５）がＩビーム（４４）の上部フランジの上方からデッキ（１０）により支承されたコンクリート床（５３）に延在していることを特徴とする請求項２４または２５に記載の床構造体。
【請求項２７】
横方向ロッド（５２）が前記デッキ（１０）を横切って延在していることを特徴とする請求項１〜２６の何れか１項に記載の床構造体。
【請求項２８】
前記横方向ロッド（５２）を前記デッキ（１０）の上方で支持するスペーサーブロックを含んでいることを特徴とする請求項２７に記載の床構造体。
【請求項２９】
前記横方向ロッド（５２）が前記デッキ（１０）に連結されていることを特徴とする請求項２７または２８に記載の床構造体。
【請求項３０】
前記横方向ロッド（５２）が前記デッキ（１０）の連結構造体（１６、１７）に連結されていることを特徴とする請求項２９に記載の床構造体。
【請求項３１】
前記横方向ロッド（５２）が連結クリップ（５４）により前記連結構造体（１６、１７）に連結されていることを特徴とする請求項３０に記載の床構造体。
【請求項３２】
前記連結クリップ（５４）が弾性材料製であることを特徴とする請求項３１に記載の床構造体。
【請求項３３】
前記連結クリップ（５４）がばね鋼製であることを特徴とする請求項３２に記載の床構造体。
【請求項３４】
コンクリート床（５３）を含んでおり、該コンクリート床（５３）が少なくとも１つの空洞（５５）を内部に有することを特徴とする請求項１〜３３の何れか１項に記載の床構造体。
【請求項３５】
前記空洞（５５）が防水材料によりライニングされていることを特徴とする請求項３５に記載の床構造体。
【請求項３６】
前記防水材料がプラスチック材料であることを特徴とする請求項３５に記載の床構造体。
【請求項３７】
前記空洞のライニング材が水を含むことができることを特徴とする請求項３６に記載の床構造体。
【請求項３８】
前記水が加熱されまたは冷却されていることを特徴とする請求項３７に記載の床構造体。
【請求項３９】
前記空洞のライニング材がその孔にプラグを有しており、該プラグは床構造体（５３）の近傍で炎があると溶けるようにされていることを特徴とする請求項３７または３８に記載の床構造体。
【請求項４０】
実質的に添付図面を参照して説明され且つ添付図面に図示された、与圧されたデッキ構造の床構造体。
【手続補正２】
【補正対象書類名】明細書
【補正対象項目名】０００３
【補正方法】変更
【補正の内容】
【０００３】
大きな床スパンにおけるこれらの欠点をなくしまたは減少するために、例えば特許文献１（米国特許第３，７１２，０１０号明細書）においては、上向きの反りを導入し、それによりその上にコンクリート床を注入する前に正の曲げモーメントをデッキに生じさせることが知られている。この配置は下向きの撓みおよびコンクリート床の重量に起因するデッキ内の負の曲げモーメントに対抗し、応力がなく且つ撓み限度が増大してより大きな床スパンを可能とすることを意図している。前述の特許文献１（米国特許第３，７１２，０１０号明細書）はこの上向きの反りおよび正の曲げモーメントを達成する２つの方法を開示している。第一の方法では、図１〜図８および図１３〜図１７に示されるようにして実施されており、デッキの端部間を延在するテンションロッドまたは鍵がある。テンションロッドはデッキの上向きの中央水平面、デッキの中立軸線に対して対称に形作られたチャンネル内に位置している。テンションロッドはデッキの端部、または上向きに曲げられた端部、に取付けられたブラケットに固着され、それによりテンションロッドがデッキの中立軸線から充分に下方に位置しているのはスパンの中心部のみである。したがって、テンションロッドが緊張されたときにデッキに生じる正の曲げモーメントは非常に小さく、そしてロッド内の応力は所望の効果を達成しなければならず、高級の鋼を必要とする。更に、ブラケットまたは曲がった端部を通りデッキの端部に生じる負荷は全てまたは殆どがデッキの底面であり、デッキの端部には負の曲げ応力が生じるであろう。これは図５〜図８および図１３〜図１７の実施例においては、更にテンションロッドをデッキに溶接するという時間を要し且つ高価な作業がある。図９〜図１２の実施例においては、テンションロッドはデッキの下向きのチャンネル内に位置している。この場合にも、テンションロッドの傾斜を最大とするために、上述の実施例と同様にデッキの端部で負の曲げ応力を生じ、テンションロッドは中立軸線の上方でデッキに取付けられている（特に図１２参照）。更にこの実施例はデッキの上向きの反りを形成するために中心に設けられたポストを複雑とし、そしてテンションロッドの両端部に別個に張力を付与することを強く必要とする。デッキへのポストの組み立ては時間が掛かりまたコストが掛かる作業であり、そして構造体を火災の危険にさらす。加えて、この構造は床スペースからの作業のための通路を妨害するかもしれない。特許文献１（ＷＯ８８／０１３３０）は床チャンネルおよびチャンネルの中立軸の下方に設けられたテンションロッドを開示している。しかしながら、チャンネルの中立軸は中央平面の下方である、そしてこの低い中立軸は上部水平部分に一層高い曲げ応力をそして断面の底部部分に一層低い応力を生じる。
【特許文献１】米国特許第３，７１２，０１０号明細書
【特許文献１】ＷＯ８８／０１３３０
【手続補正３】
【補正対象書類名】明細書
【補正対象項目名】０００５
【補正方法】変更
【補正の内容】
【０００５】
本発明は、上向きの非対称形状をしたチャンネル構造体を有し床構造体に沿って延在する細長いデッキからなり、該デッキの端部間を延在し該デッキの中立軸線の下方において該デッキの長手方向に沿うチャンネル内に位置しているテンションロッドを含んでいる、与圧されたデッキ構造の床構造体において、前記チャンネル構造体は非対称形状をしており、前記中立軸線が中央水平面よりも上方に位置している床構造体を提供する。
【手続補正４】
【補正対象書類名】明細書
【補正対象項目名】０００６
【補正方法】削除
【補正の内容】
【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
上向きの非対称形状をしたチャンネル構造体（１１）を有し床構造体に沿って延在する細長いデッキ（１０）からなり、該デッキ（１０）の端部間を延在し該デッキ（１０）の中立軸線の下方において該デッキ（１０）の長手方向に沿うチャンネル内に位置しているテンションロッド（４０）を含んでいる、与圧されたデッキ構造の床構造体において、前記チャンネル構造体（１１）は非対称形状をしており、前記中立軸線が中央水平面よりも上方に位置していることを特徴とする床構造体。
【請求項２】
前記デッキ（１０）の各端部に取着された加圧ブラケット（２０）を含むことを特徴とする請求項１に記載の床構造体。
【請求項３】
前記テンションロッド（４０）が各加圧ブラケット（２０）に連結されていることを特徴とする請求項２に記載の床構造体。
【請求項４】
各加圧ブラケット（２０）が前記テンションロッド（４０）の上方で前記デッキ（１０）に取着されていることを特徴とする請求項２また３に記載の床構造体。
【請求項５】
前記加圧ブラケット（２０）が上向きに延びているチャンネル（１１）の側壁（１３）に取着されていることを特徴とする請求項４に記載の床構造体。
【請求項６】
前記テンションロッド（４０）が各加圧ブラケット（２０）内に位置するローディングブッシュ（４１）を貫通していることを特徴とする請求項５に記載の床構造体。
【請求項７】
各加圧ブラケット（２０）がローディング面（２１）並びに上部フランジ（２２）、下部フランジ（２３）および２つの対向する側フランジ（２４）を形成するよう曲げられたシート状材料により形成されていることを特徴とする請求項２〜６の何れか１項に記載の床構造体。
【請求項８】
各フランジ（２２、２３、２４）がローディング面（２１）に実質的に直交して延在することを特徴とする請求項７に記載の床構造体。
【請求項９】
前記ローディングブッシュ（４１）がローディング面（２１）の孔（２６）に位置されていることを特徴とする請求項７に記載の床構造体。
【請求項１０】
連結手段（５０）が前記テンションロッド（４０）を前記デッキ（１０）にその中間位置で連結していることを特徴とする請求項１〜９の何れか１項に記載の床構造体。
【請求項１１】
前記連結手段（５０）がサポートクリップ（５０）であることを特徴とする請求項１０に記載の床構造体。
【請求項１２】
前記サポートクリップ（５０）が弾性材料製であることを特徴とする請求項１１に記載の床構造体。
【請求項１３】
前記サポートクリップ（５０）がばね鋼製であることを特徴とする請求項１２に記載の床構造体。
【請求項１４】
断熱材（５１）が前記テンションロッド（４０）と前記デッキ（１０）の間に設けられていることを特徴とする請求項１〜１３の何れか１項に記載の床構造体。
【請求項１５】
前記デッキ（１０）がチャンネル（１１）の横方向に延在する上部フランジ（１５）を有していることを特徴とする請求項１〜１４の何れか１項に記載の床構造体。
【請求項１６】
前記フランジ（１５）がその長手縁部に沿って延在する連結構造体（１６、１７）を有しており、デッキ（１０）が隣接するデッキ（１０）と互いにサイド  バイ  サイド配置で係合するようになっていることを特徴とする請求項１５に記載の床構造体。
【請求項１７】
前記デッキ（１０）が一つの上部フランジ（１５）の縁部に沿って延在する雄構造体（１７）と他の上部フランジ（１５）の縁部に沿って延在し他のデッキ（１０）の雄構造体（１７）を受け入れるようになっている雌構造体（１６）とを有していることを特徴とする請求項１６に記載の床構造体。
【請求項１８】
前記デッキ（１０）が取り付けられたサポート桁構造体（４４）を有していることを特徴とする請求項１〜１７の何れか１項に記載の床構造体。
【請求項１９】
スタッド（４５）がＩビーム（４４）の上部フランジの上方からデッキ（１０）により支承されたコンクリート床（５３）に延在していることを特徴とする請求項１８に記載の床構造体。
【請求項２０】
横方向ロッド（５２）が前記デッキ（１０）を横切って延在していることを特徴とする請求項１〜１９の何れか１項に記載の床構造体。
【請求項２１】
前記横方向ロッド（５２）を前記デッキ（１０）の上方で支持するスペーサーブロックを含んでいることを特徴とする請求項２６に記載の床構造体。
【国際調査報告】
2007538177.tif 000014
2007538177.tif 000015
2007538177.tif 000016